(57)【要約】本明細書の一開示は、無線機器が測定を実行する方法を提供する。前記方法は、複数のＳＳ（Ｓｙｎｃｈｒｏｎｉｚａｔｉｏｎ  Ｓｉｇｎａｌ）バーストセット周期に対する情報をサービングセルから受信するステップと、前記複数のＳＳバーストセット周期に基づいて設定されたＭＧＬ（Ｍｅａｓｕｒｅｍｅｎｔ  Ｇａｐ  Ｌｅｎｇｔｈ）及びＭＧＲＰ（Ｍｅａｓｕｒｅｍｅｎｔ  Ｇａｐ  Ｒｅｐｅｔｉｔｉｏｎ  Ｐｅｒｉｏｄ）に基づいて複数の隣接セルに対する測定を実行するステップとを含むことができる。前記ＭＧＬと前記ＭＧＲＰは、ＳＳバーストセット周期のうち最も大きい値を示すＬ、ＳＳバーストセット周期のうち最も小さい値を示すＳ、ＳＳバーストセット周期の基本値を示すＤ、及び前記無線機器のＲＦ（ｒａｄｉｏ  ｆｒｅｑｕｅｎｃｙ）スイッチング時間を示すＲのうち一つ以上を考慮して設定されることができる。【選択図】図１０
2020519093.tif 000002
【特許請求の範囲】
【請求項１】
無線機器が測定を実行する方法であって、
複数のＳＳ（Ｓｙｎｃｈｒｏｎｉｚａｔｉｏｎ  Ｓｉｇｎａｌ）バーストセット周期に対する情報をサービングセルから受信するステップと、
前記複数のＳＳバーストセット周期に基づいて設定されたＭＧＬ（Ｍｅａｓｕｒｅｍｅｎｔ  Ｇａｐ  Ｌｅｎｇｔｈ）及びＭＧＲＰ（Ｍｅａｓｕｒｅｍｅｎｔ  Ｇａｐ  Ｒｅｐｅｔｉｔｉｏｎ  Ｐｅｒｉｏｄ）に基づいて複数の隣接セルに対する測定を実行するステップとを含み、
前記ＭＧＬと前記ＭＧＲＰは、ＳＳバーストセット周期のうち最も大きい値を示すＬ、ＳＳバーストセット周期のうち最も小さい値を示すＳ、ＳＳバーストセット周期の基本値を示すＤ、及び前記無線機器のＲＦ（ｒａｄｉｏ  ｆｒｅｑｕｅｎｃｙ）スイッチング時間を示すＲのうち一つ以上を考慮して設定されることを特徴とする方法。
【請求項２】
前記ＭＧＬ及び前記ＭＧＲＰを含む測定設定情報を受信するステップをさらに含むことを特徴とする請求項１に記載の方法。
【請求項３】
前記複数のＳＳバーストセット周期に基づいて前記ＭＧＬ及び前記ＭＧＲＰを設定するステップをさらに含むことを特徴とする請求項１に記載の方法。
【請求項４】
前記ＭＧＬは、下記数式
ＭＧＬ＝Ｄ＋２＊Ｒ
により設定されることを特徴とする請求項１に記載の方法。
【請求項５】
Ｌ＞Ｄである場合、前記ＭＧＲＰは、数式ＭＧＲＰ＝Ｌにより決定され、
Ｌ≦Ｄである場合、前記ＭＧＲＰは、数式ＭＧＲＰ＝Ｎ＊Ｄ（Ｎ≧２の整数）により決定されることを特徴とする請求項４に記載の方法。
【請求項６】
ＭＧＬの開始地点は、ＭＧＲＰ毎にＭＧＬオフセット（ＭＧＬＯ）により変更されることを特徴とする請求項５に記載の方法。
【請求項７】
前記無線機器の受信ビームに対する情報を前記サービングセルに送信するステップをさらに含み、
前記ＳＳバーストセット周期は、前記受信ビームに対する情報に基づいて設定されることを特徴とする請求項１に記載の方法。
【請求項８】
前記受信ビームに対する情報は、受信ビーム幅に対する情報と受信ビーム個数に対する情報のうち一つ以上を含むことを特徴とする請求項７に記載の方法。
【請求項９】
測定を実行する無線機器であって、
複数のＳＳ（Ｓｙｎｃｈｒｏｎｉｚａｔｉｏｎ  Ｓｉｇｎａｌ）バーストセット周期に対する情報をサービングセルから受信する送受信部と、
前記複数のＳＳバーストセット周期に基づいて設定されたＭＧＬ（Ｍｅａｓｕｒｅｍｅｎｔ  Ｇａｐ  Ｌｅｎｇｔｈ）及びＭＧＲＰ（Ｍｅａｓｕｒｅｍｅｎｔ  Ｇａｐ  Ｒｅｐｅｔｉｔｉｏｎ  Ｐｅｒｉｏｄ）に基づいて複数の隣接セルに対する測定を実行するプロセッサとを含み、
前記ＭＧＬと前記ＭＧＲＰは、ＳＳバーストセット周期のうち最も大きい値を示すＬ、ＳＳバーストセット周期のうち最も小さい値を示すＳ、ＳＳバーストセット周期の基本値を示すＤ、及び前記無線機器のＲＦ（ｒａｄｉｏ  ｆｒｅｑｕｅｎｃｙ）スイッチング時間を示すＲのうち一つ以上を考慮して設定されることを特徴とする無線機器。
【請求項１０】
前記送受信部は、
前記ＭＧＬ及び前記ＭＧＲＰを含む測定設定情報をさらに受信することを特徴とする請求項９に記載の無線機器。
【請求項１１】
前記プロセッサは、
前記複数のＳＳバーストセット周期に基づいて前記ＭＧＬ及び前記ＭＧＲＰを設定することを特徴とする請求項９に記載の無線機器。
【請求項１２】
前記ＭＧＬは、下記数式
ＭＧＬ＝Ｄ＋２＊Ｒ
により設定されることを特徴とする請求項９に記載の無線機器。
【請求項１３】
Ｌ＞Ｄである場合、前記ＭＧＲＰは、数式ＭＧＲＰ＝Ｌにより決定され、
Ｌ≦Ｄである場合、前記ＭＧＲＰは、数式ＭＧＲＰ＝Ｎ＊Ｄ（Ｎ≧２の整数）により決定されることを特徴とする請求項１２に記載の無線機器。
【請求項１４】
ＭＧＬの開始地点は、ＭＧＲＰ毎にＭＧＬオフセット（ＭＧＬＯ）により変更されることを特徴とする請求項１３に記載の無線機器。
【発明の詳細な説明】
【技術分野】
【０００１】
本発明は、移動通信に関する。
【背景技術】
【０００２】
４世代移動通信のためのＬＴＥ（ｌｏｎｇ  ｔｅｒｍ  ｅｖｏｌｕｔｉｏｎ）／ＬＴＥ−Ａｄｖａｎｃｅｄ（ＬＴＥ−Ａ）の成功によって、次世代、即ち、５世代（いわゆる５Ｇ）移動通信に対する関心も高まっており、研究も続々進行している。
【０００３】
５Ｇ  ＮＲでは端末が初期アクセスを実行するときに必要な情報、即ち、ＭＩＢを含むＰＢＣＨ（Ｐｈｙｓｉｃａｌ  Ｂｒｏａｄｃａｓｔ  Ｃｈａｎｎｅｌ）と同期信号（ＳＳ）（ＰＳＳ及びＳＳＳを含む）をＳＳブロックに定義する。そして、複数個のＳＳブロックを束ねてＳＳバーストと定義し、また、複数個数のＳＳバースト（ｂｕｒｓｔ）を束ねてＳＳバーストセットと定義することができる。各ＳＳブロックは、特定方向にビームフォーミングされていることを仮定しており、ＳＳバーストセット内にある多数のＳＳブロックは、各々、異なる方向に存在する端末をサポートするために設計されている。
【０００４】
他方、ＮＲで使われるＳＳのバーストセット周期は、サービングセルと隣接セル、そして隣接セル間でも異なるように設定されることができる。そして、ＵＥによってサポートされる受信ビーム幅が異なることがある。
【０００５】
しかし、インター周波数（ｉｎｔｅｒ−ｆｒｅｑｕｅｎｃｙ）上の隣接セルに対するセル検出及び測定のために必要な測定ギャップ（ｍｅａｓｕｒｅｍｅｎｔ  ｇａｐ：ＭＧ）に対しては現在まで研究されておらず、端末がインター周波数上の隣接セルを正確に検出及び測定することができないという問題点があった。
【発明の概要】
【発明が解決しようとする課題】
【０００６】
したがって、本明細書の開示は、前述した問題点を解決することを目的とする。
【課題を解決するための手段】
【０００７】
前述した目的を達成するために、本明細書の一開示は、無線機器が測定を実行する方法を提供する。前記方法は、複数のＳＳ（Ｓｙｎｃｈｒｏｎｉｚａｔｉｏｎ  Ｓｉｇｎａｌ）バーストセット周期に対する情報をサービングセルから受信するステップと、前記複数のＳＳバーストセット周期に基づいて設定されたＭＧＬ（Ｍｅａｓｕｒｅｍｅｎｔ  Ｇａｐ  Ｌｅｎｇｔｈ）及びＭＧＲＰ（Ｍｅａｓｕｒｅｍｅｎｔ  Ｇａｐ  Ｒｅｐｅｔｉｔｉｏｎ  Ｐｅｒｉｏｄ）に基づいて複数の隣接セルに対する測定を実行するステップとを含む。前記ＭＧＬと前記ＭＧＲＰは、ＳＳバーストセット周期のうち最も大きい値を示すＬ、ＳＳバーストセット周期のうち最も小さい値を示すＳ、ＳＳバーストセット周期の基本値を示すＤ、及び前記無線機器のＲＦ（ｒａｄｉｏ  ｆｒｅｑｕｅｎｃｙ）スイッチング時間を示すＲのうち一つ以上を考慮して設定される。
【０００８】
前記方法は、前記ＭＧＬ及び前記ＭＧＲＰを含む測定設定情報を受信するステップをさらに含む。
【０００９】
前記方法は、前記複数のＳＳバーストセット周期に基づいて前記ＭＧＬ及び前記ＭＧＲＰを設定するステップをさらに含む。
【００１０】
前記ＭＧＬは、数式ＭＧＬ＝Ｄ＋２＊Ｒにより設定される。
【００１１】
Ｌ＞Ｄである場合、前記ＭＧＲＰは、数式ＭＧＲＰ＝Ｌにより決定される。Ｌ≦Ｄである場合、前記ＭＧＲＰは、数式ＭＧＲＰ＝Ｎ＊Ｄ（Ｎ≧２の整数）により決定される。
【００１２】
ＭＧＬの開始地点は、ＭＧＲＰ毎にＭＧＬオフセット（ＭＧＬＯ）により変更される。
【００１３】
前記方法は、前記無線機器の受信ビームに対する情報を前記サービングセルに送信するステップをさらに含む。ここで、前記ＳＳバーストセット周期は、前記受信ビームに対する情報に基づいて設定される。
【００１４】
前記受信ビームに対する情報は、受信ビーム幅に対する情報と受信ビーム個数に対する情報のうち一つ以上を含む。
【００１５】
また、前述した目的を達成するために、本明細書の一開示は、測定を実行する無線機器を提供する。前記無線機器は、複数のＳＳ（Ｓｙｎｃｈｒｏｎｉｚａｔｉｏｎ  Ｓｉｇｎａｌ）バーストセット周期に対する情報をサービングセルから受信する送受信部と、前記複数のＳＳバーストセット周期に基づいて設定されたＭＧＬ（Ｍｅａｓｕｒｅｍｅｎｔ  Ｇａｐ  Ｌｅｎｇｔｈ）及びＭＧＲＰ（Ｍｅａｓｕｒｅｍｅｎｔ  Ｇａｐ  Ｒｅｐｅｔｉｔｉｏｎ  Ｐｅｒｉｏｄ）に基づいて複数の隣接セルに対する測定を実行するプロセッサとを含む。前記ＭＧＬと前記ＭＧＲＰは、ＳＳバーストセット周期のうち最も大きい値を示すＬ、ＳＳバーストセット周期のうち最も小さい値を示すＳ、ＳＳバーストセット周期の基本値を示すＤ、及び前記無線機器のＲＦ（ｒａｄｉｏ  ｆｒｅｑｕｅｎｃｙ）スイッチング時間を示すＲのうち一つ以上を考慮して設定される。
【発明の効果】
【００１６】
本明細書の開示によると、前述した従来技術の問題点が解決される。
【図面の簡単な説明】
【００１７】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】セル検出及び測定手順を示す。
【図４】ＮＲでのサブフレーム類型の例を示す。
【図５】ＮＲでＳＳブロックの例を示す例示図である。
【図６】ＮＲでビームスイーピングの例を示す例示図である。
【図７】本明細書の開示のうち第１のオプションを示す例示図である。
【図８】本明細書の開示のうち第２のオプションを示す例示図である。
【図９】本明細書の開示のうち第３のオプションを示す例示図である。
【図１０】本明細書の開示による手順を示す例示的な流れ図である。
【図１１】本明細書の開示が具現される無線機器及び基地局を示すブロック図である。
【図１２】図１１に示す無線機器のトランシーバの詳細ブロック図である。
【発明を実施するための形態】
【００１８】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）、３ＧＰＰ  ＬＴＥ−Ａ（ＬＴＥ−Ａｄｖａｎｃｅｄ）または３ＧＰＰ  ＮＲ（Ｎｅｗ  ＲＡＴ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００１９】
本明細書で使用される技術的用語は、単に特定の実施形態を説明するために使われたものであり、本発明を限定するものではないことに留意しなければならない。また、本明細書で使用される技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使用される技術的な用語が本発明の思想を正確に表現することができない技術的用語である場合、当業者が正確に理解することができる技術的用語に変えて理解しなければならない。また、本発明で使用される一般的な用語は、辞書の定義によってまたは前後の文脈によって解釈されなければならず、過度に縮小された意味で解釈されてはならない。
【００２０】
また、本明細書で使用される単数の表現は、文脈上、明白に異なる意味ではない限り、複数の表現を含む。本出願において、“構成される”または“有する”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２１】
また、本明細書で使用される第１及び第２などのように序数を含む用語は、多様な構成要素の説明に使用されることができるが、前記構成要素は、前記用語により限定されてはならない。前記用語は、１つの構成要素を他の構成要素から区別する目的としてのみ使用される。例えば、本発明の権利範囲を外れない限り、第１の構成要素は第２の構成要素と命名することができ、同様に、第２の構成要素も第１の構成要素と命名することができる。
【００２２】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２３】
以下、添付図面を参照して本発明による好ましい実施形態を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００２４】
以下で使用される用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２５】
また、以下で使用される用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００２６】
図１は、無線通信システムである。
【００２７】
図１を参照して分かるように、無線通信システムは、少なくとも１つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００２８】
ＵＥは、通常、１つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００２９】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００３０】
一方、無線通信システムは、大いに、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３１】
以下、ＬＴＥシステムに対し、より詳細に説明する。
【００３２】
図２は、３ＧＰＰ  ＬＴＥにおいて、ＦＤＤによる無線フレーム（ｒａｄｉｏ  ｆｒａｍｅ）の構造を示す。
【００３３】
図２を参照すると、無線フレームは、１０個のサブフレーム（ｓｕｂｆｒａｍｅ）を含み、１つのサブフレームは、２個のスロット（ｓｌｏｔ）を含む。無線フレーム内のスロットは、０から１９までのスロット番号が付けられる。１つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、１つの無線フレームの長さは１０ｍｓであり、１つのサブフレームの長さは１ｍｓであり、１つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、１つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。１つのスロットにいくつかのＯＦＤＭシンボルが含まれるかは、循環前置（ｃｙｃｌｉｃ  ｐｒｅｆｉｘ：ＣＰ）によって変わることができる。
【００３６】
１つのスロットは、周波数領域（ｆｒｅｑｕｅｎｃｙ  ｄｏｍａｉｎ）でＮＲＢ個のリソースブロック（ＲＢ）を含む。例えば、ＬＴＥシステムにおいてリソースブロック（ＲＢ）の個数、即ち、ＮＲＢは、６〜１１０のうち、いずれか１つでありうる。
【００３７】
リソースブロック（ｒｅｓｏｕｒｃｅ  ｂｌｏｃｋ：ＲＢ）は、リソース割当単位に、１つのスロットで複数の副搬送波を含む。例えば、１つのスロットが時間領域で７個のＯＦＤＭシンボルを含み、リソースブロックは、周波数領域で１２個の副搬送波を含むならば、１つのリソースブロックは、７×１２個のリソース要素（ｒｅｓｏｕｒｃｅ  ｅｌｅｍｅｎｔ：ＲＥ）を含むことができる。
【００３８】
３ＧＰＰ  ＬＴＥにおいて物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、並びにＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【００３９】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００４０】
＜測定及び測定報告＞
【００４１】
移動通信システムにおいて、ＵＥ１００の移動性（ｍｏｂｉｌｉｔｙ）サポートは、必須である。したがって、ＵＥ１００は、現在サービスを提供するサービングセル（ｓｅｒｖｉｎｇ  ｃｅｌｌ）に対する品質及び隣接セルに対する品質を持続的に測定する。ＵＥ１００は、測定結果を適切な時間にネットワークに報告し、ネットワークは、ハンドオーバなどを介してＵＥに最適の移動性を提供する。このような目的の測定を無線リソース管理測定（ｒａｄｉｏ  ｒｅｓｏｕｒｃｅ  ｍａｎａｇｅｍｅｎｔ：ＲＲＭ）という。
【００４２】
一方、ＵＥ１００は、ＣＲＳに基づいてプライマリセル（Ｐｃｅｌｌ）のダウンリンク品質をモニタリングする。これをＲＬＭ（Ｒａｄｉｏ  Ｌｉｎｋ  Ｍｏｎｉｔｏｒｉｎｇ）という。
【００４３】
図３は、セル検出及び測定手順を示す。
【００４４】
図３を参照して分かるように、ＵＥは、隣接セルから送信される同期信号（Ｓｙｎｃｈｒｏｎｉｚａｔｉｏｎ  Ｓｉｇｎａｌ：ＳＳ）に基づいて隣接セルを検出する。前記ＳＳは、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）を含むことができる。
【００４５】
そして、ＵＥ１００に前記サービングセル２００ａ及び隣接セル２００ｂがそれぞれＣＲＳ（Ｃｅｌｌ−ｓｐｅｃｉｆｉｃ  Ｒｅｆｅｒｅｎｃｅ  Ｓｉｇｎａｌ）を送信すると、前記ＵＥ１００は、前記ＣＲＳを介して、測定を実行し、その測定結果をサービングセル２００ａに送信する。このとき、ＵＥ１００は、受信された基準信号電力（ｒｅｆｅｒｅｎｃｅ  ｓｉｇｎａｌ  ｐｏｗｅｒ）に対する情報に基づいて、前記受信されるＣＲＳのパワーを比較する。
【００４６】
このとき、ＵＥ１００は、下記の三つの方法により測定を実行することができる。
【００４７】
１）ＲＳＲＰ（ｒｅｆｅｒｅｎｃｅ  ｓｉｇｎａｌ  ｒｅｃｅｉｖｅｄ  ｐｏｗｅｒ）：全帯域にわたって送信されるＣＲＳを運搬する全てのＲＥの平均受信電力を示す。このとき、ＣＲＳの代わりにＣＳＩ（Ｃｈａｎｎｅｌ  Ｓｔａｔｅ  Ｉｎｆｏｒｍａｔｉｏｎ）−ＲＳ（Ｒｅｆｅｒｅｎｃｅ  Ｓｉｇｎａｌ）を運搬する全てのＲＥの平均受信電力を測定することもできる。
【００４８】
２）ＲＳＳＩ（ｒｅｃｅｉｖｅｄ  ｓｉｇｎａｌ  ｓｔｒｅｎｇｔｈ  ｉｎｄｉｃａｔｏｒ）：全体帯域で測定された受信電力を示す。ＲＳＳＩは、信号、干渉（ｉｎｔｅｒｆｅｒｅｎｃｅ）、熱雑音（ｔｈｅｒｍａｌ  ｎｏｉｓｅ）を全て含む。
【００４９】
３）ＲＳＲＱ（ｒｅｆｅｒｅｎｃｅ  ｓｙｍｂｏｌ  ｒｅｃｅｉｖｅｄ  ｑｕａｌｉｔｙ）：ＣＱＩを示し、測定帯域幅（ｂａｎｄｗｉｄｔｈ）またはサブバンドによるＲＳＲＰ／ＲＳＳＩに決定されることができる。即ち、ＲＳＲＱは、信号対雑音干渉比（ＳＩＮＲ；ｓｉｇｎａｌ−ｔｏ−ｎｏｉｓｅ  ｉｎｔｅｒｆｅｒｅｎｃｅ  ｒａｔｉｏ）を意味する。ＲＳＲＰは、十分な移動性（ｍｏｂｉｌｉｔｙ）情報を提供することができないため、ハンドオーバまたはセル再選択（ｃｅｌｌ  ｒｅｓｅｌｅｃｔｉｏｎ）過程ではＲＳＲＰの代わりにＲＳＲＱが使われることができる。
【００５０】
ＲＳＲＱ＝ＲＳＳＩ／ＲＳＳＰで算出されることができる。
【００５１】
一方、図示されたように、ＵＥ１００は、前記測定のために前記サービングセル１００ａから無線リソース設定（Ｒａｄｉｏ  Ｒｅｓｏｕｒｃｅ  Ｃｏｎｆｉｇｕｒａｔｉｏｎ）情報エレメント（ＩＥ：Ｉｎｆｏｒｍａｔｉｏｎ  Ｅｌｅｍｅｎｔ）を受信する。前記無線リソース設定（Ｒａｄｉｏ  Ｒｅｓｏｕｒｃｅ  Ｃｏｎｆｉｇｕｒａｔｉｏｎ  Ｄｅｄｉｃａｔｅｄ）情報エレメント（ＩＥ：Ｉｎｆｏｒｍａｔｉｏｎ  Ｅｌｅｍｅｎｔ）は、無線ベアラ（Ｒａｄｉｏ  Ｂｅａｒｅｒ）を設定／修正／解除し、またはＭＡＣ構成を修正する等のために使われる。前記無線リソース設定ＩＥは、サブフレームパターン情報を含む。前記サブフレームパターン情報は、サービングセル（例えば、プライマリセル）に対するＲＳＲＰ、ＲＳＲＱの測定に対する時間ドメイン上の測定リソース制限パターンに対する情報である。
【００５２】
一方、ＵＥ１００は、前記測定のために前記サービングセル１００ａから測定設定（ｍｅａｓｕｒｅｍｅｎｔ  ｃｏｎｆｉｇｕｒａｔｉｏｎ；以下‘ｍｅａｓｃｏｎｆｉｇ’ともいう）情報エレメント（ＩＥ）を受信する。測定設定情報エレメント（ＩＥ）を含むメッセージを測定設定メッセージという。ここで、前記測定設定情報エレメント（ＩＥ）は、ＲＲＣ接続再設定メッセージを介して受信されることもできる。ＵＥは、測定結果が測定設定情報内の報告条件を満たす場合、測定結果を基地局に報告する。測定結果を含むメッセージを測定報告メッセージという。
【００５３】
前記測定設定ＩＥは、測定オブジェクト（Ｍｅａｓｕｒｅｍｅｎｔ  ｏｂｊｅｃｔ）情報を含むことができる。前記測定オブジェクト情報は、ＵＥが測定を実行するオブジェクトに対する情報である。測定オブジェクトは、セル内測定の対象であるｉｎｔｒａ−ｆｒｅｑｕｅｎｃｙ測定対象、セル間測定の対象であるｉｎｔｅｒ−ｆｒｅｑｕｅｎｃｙ測定対象、及びｉｎｔｅｒ−ＲＡＴ測定の対象であるｉｎｔｅｒ−ＲＡＴ測定対象のうち、少なくともいずれか一つを含む。例えば、ｉｎｔｒａ−ｆｒｅｑｕｅｎｃｙ測定対象は、サービングセルと同じ周波数バンドを有する周辺セルを指示し、ｉｎｔｅｒ−ｆｒｅｑｕｅｎｃｙ測定対象は、サービングセルと異なる周波数バンドを有する周辺セルを指示し、ｉｎｔｅｒ−ＲＡＴ測定対象は。サービングセルのＲＡＴと異なるＲＡＴの周辺セルを指示することができる。
【００５４】
【表１】
2020519093.tif 000003
【００５５】
一方、前記測定設定ＩＥは、下記の表のようなＩＥ（情報エレメント）を含む。
【００５６】
【表２】
2020519093.tif 000004
【００５７】
前記ｍｅａｓＧａｐＣｏｎｆｉｇは、測定ギャップ（ｍｅａｓｕｒｅｍｅｎｔ  ｇａｐ：ＭＧ）を設定したり解除したりするときに使われる。前記測定ギャップ（ＭＧ）は、サービングセルと異なる周波数（ｉｎｔｅｒ  ｆｒｅｑｕｅｎｃｙ）上のセル識別（ｃｅｌｌ  ｉｄｅｎｔｉｆｉｃａｔｉｏｎ）及びＲＳＲＰ測定を実行するための区間である。
【００５８】
【表３】
2020519093.tif 000005
【００５９】
【表４】
2020519093.tif 000006
【００６０】
もし、ＵＥがインター周波数及びインターＲＡＴのセルを識別して測定をするために測定ギャップを要求する場合、Ｅ−ＵＴＲＡＮ（即ち、基地局）は、一定のギャップ区間を有する一つの測定ギャップ（ＭＧ）パターンを提供する。前記ＵＥは、前記測定ギャップ区間の間にサービングセルからどのようなデータも送受信せずに、自分のＲＦチェインをインター周波数に合わせて再調整（ｒｅｔｕｎｉｎｇ）した後、該当インター周波数で測定を実行する。
【００６１】
＜キャリアアグリゲーション＞
【００６２】
以下、キャリアアグリゲーション（ｃａｒｒｉｅｒ  ａｇｇｒｅｇａｔｉｏｎ：ＣＡ）システムに対して説明する。
【００６３】
キャリアアグリゲーションシステムは、多数のコンポーネントキャリア（ｃｏｍｐｏｎｅｎｔ  ｃａｒｒｉｅｒ：ＣＣ）をアグリゲーションすることを意味する。このようなキャリアアグリゲーションにより、既存のセルの意味が変更された。キャリアアグリゲーションによると、セルとは、ダウンリンクコンポーネントキャリアとアップリンクコンポーネントキャリアとの組み合わせ、または単独のダウンリンクコンポーネントキャリアを意味する。
【００６４】
また、キャリアアグリゲーションにおいて、セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。セカンダリセルは、セカンダリ周波数で動作するセルを意味し、ＲＲＣ接続が確立されると設定され、追加的な無線リソースの提供に使われる。
【００６５】
前述したように、キャリアアグリゲーションシステムでは単一搬送波システムと違って複数のコンポーネントキャリア（ＣＣ）、即ち、複数のサービングセルをサポートすることができる。
【００６６】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。
【００６７】
＜ＩｏＴ（Ｉｎｔｅｒｎｅｔ  ｏｆ  Ｔｈｉｎｇｓ）通信＞
【００６８】
一方、以下でＩｏＴに対して説明する。
【００６９】
ＩｏＴは、人間相互作用（ｈｕｍａｎ  ｉｎｔｅｒａｃｔｉｏｎ）を伴わないＩｏＴ機器間に基地局を介した情報交換またはＩｏＴ機器とサーバとの間に基地局を介した情報交換を意味する。このようにＩｏＴ通信がセルラー基地局を介するという点で、ＣＩｏＴ（Ｃｅｌｌｕｌａｒ  Ｉｎｔｅｒｎｅｔ  ｏｆ  Ｔｈｉｎｇｓ）とも呼ばれる。
【００７０】
このようなＩｏＴ通信は、ＭＴＣ（Ｍａｃｈｉｎｅ  Ｔｙｐｅ  ｃｏｍｍｕｎｉｃａｔｉｏｎ）の一種である。したがって、ＩｏＴ機器をＭＴＣ機器とも呼ばれる。
【００７１】
ＩｏＴ通信は、送信データ量が少なく、アップリンクまたはダウンリンクデータ送受信がまれに発生する特徴を有するため、低いデータ送信率に合わせてＩｏＴ機器の単価を低くしてバッテリ消耗量を減らすのが好ましい。また、ＩｏＴ機器は、移動性が少ない特徴を有するため、チャネル環境がほとんど変わらない特性を有している。
【００７２】
ＩｏＴ機器の原価節減（ｌｏｗ−ｃｏｓｔ）のための一つの方案として、セルのシステム帯域幅にかかわらず、前記ＩｏＴ機器は、例えば、１．４ＭＨｚ程度の副帯域を使用することができる。
【００７３】
このように縮小された帯域幅上で動作するＩｏＴ通信をＮＢ（Ｎａｒｒｏｗ  Ｂａｎｄ）ＩｏＴ通信またはＮＢ  ＣＩｏＴ通信という。
【００７４】
＜次世代移動通信ネットワーク＞
【００７５】
４世代移動通信のためのＬＴＥ（ｌｏｎｇ  ｔｅｒｍ  ｅｖｏｌｕｔｉｏｎ）／ＬＴＥ−Ａｄｖａｎｃｅｄ（ＬＴＥ−Ａ）の成功によって、次世代、即ち、５世代（いわゆる５Ｇ）移動通信に対する関心も高まっており、研究も続々進行している。
【００７６】
国際電気通信連合（ＩＴＵ）が定義する５世代移動通信は、最大２０Ｇｂｐｓのデータ送信速度とどこでも最小１００Ｍｂｐｓ以上の体感の送信速度を提供することを意味する。正式名称は‘ＩＭＴ−２０２０’であり、世界的に２０２０年に商用化することを目標としている。
【００７７】
ＩＴＵでは３代使用シナリオ、例えば、ｅＭＢＢ（ｅｎｈａｎｃｅｄ  Ｍｏｂｉｌｅ  ＢｒｏａｄＢａｎｄ）ｍＭＴＣ（ｍａｓｓｉｖｅ  Ｍａｃｈｉｎｅ  Ｔｙｐｅ  Ｃｏｍｍｕｎｉｃａｔｉｏｎ）及びＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎｓ）を提示している。
【００７８】
ＵＲＬＬＣは、高い信頼性と低い遅延時間を要求する使用シナリオに関する。例えば、自動走行、工場自動化、増強現実のようなサービスは、高い信頼性と低い遅延時間（例えば、１ｍｓ以下の遅延時間）を要求する。現在４Ｇ（ＬＴＥ）の遅延時間は、統計的に２１−４３ｍｓ（ｂｅｓｔ１０％）、３３−７５ｍｓ（ｍｅｄｉａｎ）である。これは１ｍｓ以下の遅延時間を要求するサービスをサポートするに足りない。次に、ｅＭＢＢ使用シナリオは、移動超広帯域を要求する使用シナリオに関する。
【００７９】
即ち、５世代移動通信システムは、現在の４Ｇ  ＬＴＥより高い容量を目標とし、モバイル広帯域ユーザの密度を高め、Ｄ２Ｄ（Ｄｅｖｉｃｅ  ｔｏ  Ｄｅｖｉｃｅ）、高い安定性及びＭＴＣ（Ｍａｃｈｉｎｅ  ｔｙｐｅ  ｃｏｍｍｕｎｉｃａｔｉｏｎ）をサポートすることができる。また、５Ｇ研究開発は、モノのインターネットをよく具現するために、４Ｇ移動通信システムより低い待機時間と低いバッテリ消耗を目標とする。このような５Ｇ移動通信のために、新しい無線アクセス技術（ｎｅｗ  ｒａｄｉｏ  ａｃｃｅｓｓ  ｔｅｃｈｎｏｌｏｇｙ：Ｎｅｗ  ＲＡＴまたはＮＲ）が提示されることができる。
【００８０】
前記ＮＲで、基地局からの受信は、ダウンリンクサブフレームを利用し、基地局への送信は、アップリンクサブフレームを利用することが考慮されることができる。この方式は、対になるスペクトラム及び対になっていないスペクトラムに適用されることができる。一組のスペクトラムは、ダウンリンク及びアップリンク動作のために二つの搬送波スペクトラムが含まれるということを意味する。例えば、一対スペクトラムで、一つの搬送波は、 対になるダウンリンク帯域及びアップリンク帯域を含むことができる。
【００８１】
図４は、ＮＲでのサブフレーム類型の例を示す。
【００８２】
図４に示すＴＴＩ（ｔｒａｎｓｍｉｓｓｉｏｎ  ｔｉｍｅ  ｉｎｔｅｒｖａｌ）は、ＮＲ（または、ｎｅｗ  ＲＡＴ）のためのサブフレームまたはスロットとも呼ばれる。図４のサブフレーム（または、スロット）は、データ送信遅延を最小化するためにＮＲ（または、ｎｅｗ  ＲＡＴ）のＴＤＤシステムで使われることができる。図４に示すように、サブフレーム（または、スロット）は、現在のサブフレームと同様に、１４個のシンボルを含む。サブフレーム（または、スロット）の前方部のシンボルは、ＤＬ制御チャネルのために使われることができ、サブフレーム（または、スロット）の後方部のシンボルは、ＵＬ制御チャネルのために使われることができる。残りのシンボルは、ＤＬデータ送信またはＵＬデータ送信のために使われることができる。このようなサブフレーム（または、スロット）構造によると、ダウンリンク送信とアップリンク送信は、一つのサブフレーム（または、スロット）で順次に進行されることができる。したがって、サブフレーム（または、スロット）内でダウンリンクデータが受信されることができ、そのサブフレーム（または、スロット）内でアップリンク確認応答（ＡＣＫ／ＮＡＣＫ）が送信されることもできる。このようなサブフレーム（または、スロット）の構造をセルフコンテインド（ｓｅｌｆ−ｃｏｎｔａｉｎｅｄ）サブフレーム（または、スロット）ということができる。このようなサブフレーム（または、スロット）の構造を使用すると、受信エラーが発生したデータを再送信する時にかかる時間が減って最終データ送信待機時間が最小化されることができるという長所がある。このようなセルフコンテインド（ｓｅｌｆ−ｃｏｎｔａｉｎｅｄ）サブフレーム（または、スロット）構造で、送信モードから受信モードへまたは受信モードから送信モードへの転換過程に時間ギャップ（ｔｉｍｅ  ｇａｐ）が必要である。そのために、サブフレーム構造でＤＬからＵＬへ転換する時の一部ＯＦＤＭシンボルは、保護区間（Ｇｕａｒｄ  Ｐｅｒｉｏｄ：ＧＰ）に設定されることができる。
【００８３】
＜多様なヌメロロジー（ｎｕｍｅｒｏｌｏｇｙ）のサポート＞
【００８４】
次期システムでは無線通信技術の発達によって、端末に多数のヌメロロジー（ｎｕｍｅｒｏｌｏｇｙ）が提供されることもできる。
【００８５】
前記ヌメロロジーは、ＣＰ（ｃｙｃｌｅ  ｐｒｅｆｉｘ）長さと副搬送波間隔（Ｓｕｂｃａｒｒｉｅｒ  Ｓｐａｃｉｎｇ）により定義されることができる。一つのセルは、複数のヌメロロジーを端末に提供できる。ヌメロロジーのインデックスをμで表す時、各副搬送波間隔と該当するＣＰ長さは、以下の表の通りである。
【００８６】
【表５】
2020519093.tif 000007
【００８７】
一般ＣＰの場合、ヌメロロジーのインデックスをμで表す時、スロット当たりＯＦＤＭシンボル個数（Ｎｓｌｏｔｓｙｍｂ）、フレーム当たりスロット個数（Ｎｆｒａｍｅ、μｓｌｏｔ）そして、サブフレーム当たりスロット個数（Ｎｓｕｂｆｒａｍｅ、μｓｌｏｔ）は、下記の表の通りである。
【００８８】
【表６】
2020519093.tif 000008
【００８９】
拡張ＣＰの場合、ヌメロロジーのインデックスをμで表す時、スロット当たりＯＦＤＭシンボル個数（Ｎｓｌｏｔｓｙｍｂ）、フレーム当たりスロット個数（Ｎｆｒａｍｅ、μｓｌｏｔ）そして、サブフレーム当たりスロット個数（Ｎｓｕｂｆｒａｍｅ、μｓｌｏｔ）は、下記の表の通りである。
【００９０】
【表７】
2020519093.tif 000009
【００９１】
一方、次世代移動通信ではシンボル内で各シンボルは、下記の表のようにダウンリンクに使われ、またはアップリンクに使われることができる。下記の表において、アップリンクはＵで表記され、ダウンリンクはＤで表記された。下記の表において、Ｘは、アップリンクまたはダウンリンクに柔軟性あるように使われることができるシンボルを示す。
【００９２】
【表８−１】
2020519093.tif 000010
【表８−２】
2020519093.tif 000011
【００９３】
<ＮＲでＳＳブロック＞５Ｇ  ＮＲでは端末が初期アクセスを実行するときに必要な情報、即ち、ＭＩＢを含むＰＢＣＨ（Ｐｈｙｓｉｃａｌ  Ｂｒｏａｄｃａｓｔ  Ｃｈａｎｎｅｌ）と同期信号（ＳＳ）（ＰＳＳ及びＳＳＳを含む）をＳＳブロックに定義する。そして、複数個のＳＳブロックを束ねてＳＳバーストと定義し、また、複数個数のＳＳバースト（ｂｕｒｓｔ）を束ねてＳＳバーストセットと定義することができる。各ＳＳブロックは、特定方向にビームフォーミングされていることを仮定しており、ＳＳバーストセット内にある多数のＳＳブロックは、各々、異なる方向に存在する端末をサポートするために設計されている。
【００９４】
図５は、ＮＲでＳＳブロックの例を示す例示図である。
【００９５】
図５を参照すると、ＳＳバーストは、あらかじめ決められた周期（ｐｅｒｉｏｄｉｃｉｔｙ）毎に送信される。したがって、端末は、ＳＳブロックを受信し、セル検出及び測定を実行する。
【００９６】
一方、５Ｇ  ＮＲではＳＳに対してビームスイーピング（ｂｅａｍ  ｓｗｅｅｐｉｎｇ）が実行される。これに対して図６を参照して説明する。
【００９７】
図６は、ＮＲでビームスイーピングの例を示す例示図である。
【００９８】
基地局は、ＳＳバースト内の各ＳＳブロックを時間によってビームスイーピング（ｂｅａｍ  ｓｗｅｅｐｉｎｇ）をしながら送信するようになる。このとき、ＳＳバーストセット内にある多数のＳＳブロックは、各々、異なる方向に存在する端末をサポートするために送信される。図６では、ＳＳバーストセットがＳＳブロック１〜６を含み、各ＳＳバーストは２個のＳＳブロックを含む。
【００９９】
<本明細書の開示＞
【０１００】
インター周波数上のセル／ＴＰ（ｔｒａｎｓｍｉｔｔｉｎｇ  Ｐｏｉｎｔ）またはインターＲＡＴを使用するセル／ＴＰを識別し、ＲＳＲＰ測定を実行する区間を測定ギャップ（ＭＧ）という。測定ギャップ長さ（Ｍｅａｓｕｒｅｍｅｎｔ  Ｇａｐ  Ｌｅｎｇｔｈ：ＭＧＬ）は、ＭＧの時間長さを意味する。このようなＭＧＬは、ＵＥのＲＦ構造によって必要なこともあり、または必要ないこともある。例えば、一つのＲＦのみを有するＵＥがインター周波数上でセルを検出及び測定をするためには、前記ＵＥは、ＲＦをチューニングしなければならない。前記ＲＦをチューニングした後、前記インター周波数上でセル検出及び測定を実行する間には、前記ＵＥは、サービングセルと通信することができない。このように、前記サービングセルと通信が断絶される理由のため、前記ＵＥは、あらかじめＭＧをサービングセルに要求し、前記サービングセルは、ＭＧを割り当ててＵＥに提供する。前記セル検出及び測定が終わると、前記ＵＥは、前記ＲＦ部を再びサービングセルの周波数でチューニングするようになる。
【０１０１】
他方、ＮＲで使われるＳＳのバーストセット周期は、サービングセルと隣接セル、そして隣接セル間でも異なるように設定されることができる。そして、ＵＥによってサポートされる受信ビーム幅が異なることがある。
【０１０２】
本明細書は、ＮＲでのＳＳに基づくセル検出及び測定のために必要な測定ギャップ（ｍｅａｓｕｒｅｍｅｎｔ  ｇａｐ：ＭＧ）に対して提案する。
【０１０３】
一方、ＮＲでセル識別（Ｃｅｌｌ  ｉｄｅｎｔｉｆｉｃａｔｉｏｎ）に対して詳細に説明すると、下記の通りである。
【０１０４】
ＮＲでのセル検索時間は、ＬＴＥでのセル検索時間と異なる。同期信号周波数ラスター（ｒａｓｔｅｒ）、ＳＳバーストセット内のＳＳブロックの個数、ＵＥバーストセット周期及びＵＥ側での受信ビーム性能のようないくつかの事項が考慮されなければならない。その理由は、ＮＲセル識別時間がこれらによって増加されることができるためである。詳細な内容は、下記の通りである。
【０１０５】
第一に、同期信号周波数ラスターに対して説明する。ＮＲ  ＵＥがパワーオンすると、ＵＥは、前記ラスター上で同期信号周波数を探索しなければならない。検索周波数ウィンドウの大きさ及び同期信号周波数ラスターの大きさによってより多くの時間を必要とする。同期信号周波数ラスターは、最小チャネル帯域幅を考慮して定義されることができる。６ＧＨｚ及び６ＧＨｚから５２．６ＧＨｚまでの周波数で最小チャネル帯域幅は、５ＭＨｚ及び５０ＭＨｚである。ＰＳＳ／ＳＳＳの副搬送波間隔は、６ＧＨｚ未満に対しては１５ｋＨｚ／３０ｋＨｚであり、６ＧＨｚ以上に対しては１２０ｋＨｚ／２４０ｋＨｚである。
【０１０６】
第二に、ＳＳバーストセットでＳＳブロックに対して説明すると、下記の通りである。基本的に、初期セル探索のステップで、ＮＲ  ＵＥは、基本（ｄｅｆａｕｌｔ）ＳＳバーストセット周期が２０ｍｓであるＳＳバーストセットで適切な（正しい方向）ＳＳブロックを検出するために試みる。
【０１０７】
セル検出以前に、ＵＥは、ＳＳバーストセット周期が｛５、１０、２０、４０、８０、１６０｝ｍｓのうち基地局によりどれが設定されているかを知らない。設定値がデフォルトセット周期より小さい場合（即ち、５ｍｓまたは１０ｍｓ）、同じビームインデックスを有する多数のＳＳブロックが２０ｍｓの基本設定周期内にＳＳブロック検出のために使われることができる。対照的に、設定値が基本セット周期より大きい場合（即ち、４０ｍｓ、８０ｍｓまたは１６０ｍｓ）、一つのＳＳバーストセットでＳＳブロックを完全に検索するために基本セット時間周期の２、４、８倍が必要である。したがって、基本ＳＳバーストセット周期のみを有するセル検出時間を定義することが好ましくないと判断される。
【０１０８】
セル検出後に、ＵＥは、ＳＳバーストセット周期に対して設定された値のセットを知ることができる。ここで、設定値は、搬送波周波数毎に異なることがあり、ＵＥは、ＳＳバーストセット周期情報に基づく値で各々の測定を実行することができる。サービングセルと隣接セルのＳＳブロックビーム方向は、互いに異なることがある。
【０１０９】
第３に、受信側でのＵＥビーム能力に対して説明すると、下記の通りである。ＳＳバーストセットは、多数のＳＳブロックを含む。各々のＳＳブロックは、基地局（即ち、ｇＮＢ）によりスイーピングされた全体ビームのうち一つのビームに対応する。ＵＥが適切なＳＳブロックを検出するためには、ＵＥは、数回試み（即ち、ＳＳバーストセット内のＳＳブロックの数×ＵＥ側のＲＸビームの数）なければならない。ＳＳバーストセットでＳＳブロックの数が同じであるとしても、ＵＥの受信（Ｒｘ）ビームの数によってセル検出時間が異なることがある。即ち、ＮＲセル探知時間は、ＵＥの受信（Ｒｘ）ビーム性能と関連がある。
【０１１０】
他方、一セルを正常にカバー（ｃｏｖｅｒ）するＵＥのビーム個数は、ＵＥ受信ビーム幅が大きい場合と小さい場合が異なることがある。例えば、ＵＥ受信ビーム幅が大きい場合のＵＥビームの個数を２個、ＵＥ受信ビーム幅が小さい場合のＵＥビームの個数を８個と仮定し、ＳＳバーストセット周期内にＳＳブロック数を８個と仮定する。このとき、ＵＥ位置で正確な方向のＳＳブロックを検出する場合、各々、１６（＝２×８）ＳＳバーストセット周期、６４（＝８×８）ＳＳバーストセット周期を必要とする。即ち、ＵＥのビーム幅の大きさによる受信ビーム個数によってＳＳブロック検出時間が異なることがある。ビーム個数が多い場合、ビーム分解能が良いが、ＳＳブロック検出時間が長くなるようになる。これはＲＳＲＰ測定周期にも同じく適用される。ネットワークの効率的なＵＥ移動管理のために、ＳＳ検出時間（即ち、セル検出時間）とＳＳＳのＲＳＲＰ測定周期が決まらなければならない。ここに、ＵＥの受信ビーム個数（分解能）が共に考慮される必要がある。したがって、ＵＥは、自分の受信ビーム個数に対する情報（即ち、能力情報）または受信ビーム幅情報をネットワークに提供する必要がある。前記ビーム幅情報は、メインローブ（ｍａｉｎ  ｌｏｂｅ）中心対比３ｄＢ程度パワーが低いビーム角である。前記ビーム角を提供すると、ネットワークは、ビーム角からＵＥのビーム個数を推定することもできる。もし、ＵＥ受信ビームの個数がＫであり（または、ビーム角からＫ個を類推）、同じＳＳブロックに対してＭ個のサンプルでＳＳブロック検出が可能であり、ＳＳバーストセット周期をＮと仮定すると、ＳＳブロック検出時間＝Ｎ＊Ｍ＊Ｋ  ＳＳバーストセット周期になる。したがって、本明細書は、このような数式と概念、そしてＵＥ受信ビーム個数をネットワークに知らせることを提案する。
【０１１１】
前記言及した３種類外に、ＮＲでインター周波数測定及びインターＲＡＴ測定のためには測定ギャップ（ＭＧ）を改善しなければならない。測定ギャップ（ＭＧ）は、一つのＲＦチェインを有するＵＥがサービングセル検出以後にインター周波数上の隣接セルを測定するときに使われる。既存ＬＴＥにおいて、測定ギャップ時間（ＭＧＬ）は６ｍｓに指定された。前記６ｍｓのうち、５ｍｓは、同期信号の周期に該当し、０．５ｍｓは、ＲＦスイッチング時間である。そして、既存ＬＴＥで搬送波周波数は、６ＧＨｚ未満であり、副搬送波間隔（ｓｕｂｃａｒｒｉｅｒ  ｓｐａｃｉｎｇ：ＳＣＳ）は、１５ｋＨｚである。ＮＲのために測定ギャップ（ＭＧ）を改善する時、次を考慮することができる。ＬＴＥでの同期信号の周期は、ＳＳバーストセット周期の設定値に代替されることができる。そして、０．５ｍｓのＲＦスイッチング時間は、６ＧＨｚ以下で再使用できる。しかし、６ＧＨｚ以上で０．５ｍｓのＲＦスイッチング時間を再使用することができるかは、より研究されなければならない。併せて、複数の隣接セルに対してＳＳバーストセット周期が互いに異なるように設定された場合、ＭＧＬをどのように定義すべきかが研究されなければならない。例えば、搬送波周波数が互いに異なる３個の隣接セルがあり、ＳＳバーストセット周期の値が各々５ｍｓ、２０ｍｓ及び８０ｍｓに設定されていると仮定する。このとき、ＭＧＬを互いに異なるように設定し、ＭＧＲＰを互いに異なるように設定することは好ましくない。その理由は、サービングセルスケジューリングが非効率的であり、測定ギャップ（ＭＧ）の管理が非常に複雑になるためである。したがって、ＬＴＥと同様に、共通的なＭＧＬを設定することが好ましい。共通的なＭＧＬを使用しながら、全ての範囲のＳＳブロックをカバーするためには、下記のような３個のオプションが考慮されることができる。
【０１１２】
下記のオプションで使われる記号は、下記の通りである。
【０１１３】
Ｌ＝設定されたＳＳバーストセット周期のうち最も大きい値
【０１１４】
Ｓ＝設定されたＳＳバーストセット周期のうち最も小さい値
【０１１５】
Ｄ＝ＳＳバーストセット周期の基本値（２０ｍｓ）
【０１１６】
Ｒ＝ＲＦスイッチング時間
【０１１７】
３個のオプションに対して図７ないし図９を参照して詳細に説明すると、下記の通りである。
【０１１８】
図７は、本明細書の開示のうち第１のオプションを示す例示図であり、図８は、本明細書の開示のうち第２のオプションを示す例示図であり、図９は、本明細書の開示のうち第３のオプションを示す例示図である。
【０１１９】
図７を参照すると、第１のオプションによると、ＭＧＬとＭＧＲＰは、下記のように決定されることができる。
【０１２０】
１）ＭＧＬ＝Ｌ＋２＊Ｒ
【０１２１】
２）ＭＧＲＰ＝Ｎ＊Ｌ（ここで、Ｎ≧２の整数であり、Ｎは、セル検出時間が長くなることを避けるために、あまり高くない整数に設定されることができる）
【０１２２】
図８を参照すると、第２のオプションによると、ＭＧＬとＭＧＲＰは、下記のように決定されることができる。
【０１２３】
１）ＭＧＬ＝Ｄ＋２＊Ｒ
【０１２４】
２）ＭＧＲＰは、下記の通りである。
【０１２５】
−Ｌ＞Ｄである場合、ＭＧＲＰ＝Ｌ
【０１２６】
このとき、ＭＧＬオフセット（ＭＧＬＯ）は、ＳＳバーストセット周期内で全てのＳＳブロックの範囲をカバーするために、ＭＧＲＰ毎に変更されて適用されることができる。例えば、図８において、Ｄ＝２０ｍｓ、ＭＧＬ＝２０ｍｓ＋２＊Ｒ、ＭＧＲＰ＝８０ｍｓである場合、ＭＧＲＰ毎にＭＧＬオフセット＝０、２０、４０、６０ｍｓに変更されることができる。これを一般化すると、ＭＧＬオフセット＝Ｄ  ｘ｛０、１、...、Ｑ｝、Ｑ＝ＭＧＲＰ／Ｄ−１である。
【０１２７】
−Ｌ≦Ｄである場合、ＭＧＲＰ＝Ｎ＊Ｄ（ここで、Ｎ≧２の整数であり、Ｎは、セル検出時間が長くなることを避けるために、あまり高くない整数に設定されることができる）
【０１２８】
図９を参照すると、第３のオプションによると、ＭＧＬとＭＧＲＰは、下記のように決定されることができる。
【０１２９】
１）ＭＧＬ＝Ｓ＋２＊Ｒ
【０１３０】
２）ＭＧＲＰは、下記の通りである。
【０１３１】
−Ｌ≠Ｓである場合、ＭＧＲＰ＝Ｌ
【０１３２】
このとき、ＭＧＬオフセット（ＭＧＬＯ）は、ＳＳバーストセット周期内で全てのＳＳブロックの範囲をカバーするために、ＭＧＲＰ毎に変更されることができる。例えば、Ｓ＝１０ｍｓ、Ｌ＝８０ｍｓ、ＭＧＬ＝１０ｍｓ＋２＊Ｒ、ＭＧＲＰ＝８０ｍｓである場合、ＭＧＲＰ毎にＭＧＬオフセット＝０、１０、２０、３０、４０、５０、６０、７０ｍｓに変更されることができる。これを一般化すると、ＭＧＬオフセット＝Ｓ  ｘ｛０、１...、Ｑ｝、Ｑ＝ＭＧＲＰ／Ｓ−１である。
【０１３３】
−Ｌ＝Ｓである場合、ＭＧＲＰ＝Ｎ＊Ｓ（ここで、Ｎ≧２の整数であり、Ｎは、セル検出時間が長くなることを避けるために、あまり高くない整数に設定されることができる）
【０１３４】
ＭＧ及び効率性側面の管理面でどれが有利かを検討すると、次の通りである。第２のオプションは、セルスケジューリング機会を提供する側面で第１のオプションより優秀であるが、セル検出時間は有利ではない。例えば、第１のオプションを示す図７と第２のオプションを示す図８を比較して説明すると、次の通りである。６０ｍｓの間のサービングセルスケジューリング機会は、第１のオプションの場合、８０ｍｓであるが、第２のオプションの場合、１２０ｍｓである。そして、確率が９０であるセル探知に対して３個のＳＳバーストサンプルを仮定すると、第１のオプションは、８００ｍｓ（＝１ＭＧＲＰ（５ｍｓ）＋１ＭＧＲＰ（２０ｍｓ）＋３ＭＧＲＰ（８０ｍｓ）、ＭＧＲＰ＝１６０ｍｓ）を必要とする。しかし、第２のオプションは、１２００ｍｓ（＝１ＭＧＲＰ（５ｍｓ間）＋２ＭＧＲＰ（２０ｍｓ間）＋１２ＭＧＲＰ（８０ｍｓ間、ＭＧＲＰ＝８０ｍｓ）を必要とし、この間に３個の他のセルを探知することができる。図７及び図８に点線で表示された丸は、各図面でＭＧＬから検出可能なＳＳブロックを示す。
【０１３５】
要約すると、セル検出時間は、同期信号周波数ラスター、ＳＳバーストセット周期のＳＳブロック個数、ＳＳバーストセット周期、ＵＥの受信（Ｒｘ）ビーム性能により影響を受けることができる。結果的に、ＮＲセル検出に対して下記のように提案する。
【０１３６】
提案１：同期信号周波数ラスターを考慮すると、各々、３ＧＨｚ未満、３ＧＨｚ以上から６ＧＨｚまで、そして６ＧＨｚ以上に対して１５ｋＨｚ、３０ｋＨｚ及び１２０ｋＨｚのＰＳＳ／ＳＳＳ、副搬送波間隔（ＳＣＳ）を各々考慮することができる。
【０１３７】
提案２：イントラ周波数セル検出時間に対してサービングセルと隣接セルとの間で異なるＵＥ受信ビーム方向を考慮しなければならない。
【０１３８】
提案３：セル検出時間は、ＳＳバーストセット周期でＳＳブロックの個数外にＵＥの受信ビーム性能、即ち、受信ビーム分解能を考慮しなければならない。
【０１３９】
提案４：インター周波数／インターＲＡＴ上で測定を実行するために、サービングセルスケジューリング機会、測定ギャップ及びセル検出時間の効率的な管理を考慮して共通測定ギャップパターンを使用しなければならない。
【０１４０】
提案５：ＵＥがＳＳバーストセット周期の互いに異なる設定セットをネットワークから提供を受ける場合、ＵＥは、共通測定ギャップを使用しなければならない。
【０１４１】
提案６：共通測定ギャップは、前述した３個のオプションのうち一つによって設定されることができる。
【０１４２】
提案７：共通測定ギャップのＬ＞Ｄである第２のオプションとＬ≠Ｓである第３のオプションで、図９のように、ＭＧＬオフセットは、ＲＦスイッチング時間が含まれるＭＧＬ開始点基準に定義されることができる。
【０１４３】
提案８：ＵＥは、受信ビーム個数に対する情報またはビーム幅（Ｂｅａｍ  Ｗｉｄｔｈ）（即ち、メインローブ（ｌｏｂｅ）基準３ｄＢ低い左／右角度）情報をネットワークに知らせることができる。ＵＥの受信ビーム幅に対する情報がネットワークに提供されると、ネットワークは、前記ビーム幅情報を利用してＵＥ受信ビーム個数を推定することができる。
【０１４４】
提案９：ネットワークは、前記ＵＥの受信ビーム個数（または、ビーム幅）に対する情報に基づいて、ＵＥのＳＳブロック検出時間及びＳＳＳ測定時間または報告時間を算出し、前記算出されたことに基づいてスケジューリング及び移動性を管理することができる。
【０１４５】
図１０は、本明細書の開示による手順を示す例示的な流れ図である。
【０１４６】
図１０を参照すると、前記サービングセル２００ａは、隣接セル２００ｂ、２００ｃからＳＳバーストセット周期に対する情報を受信する。
【０１４７】
無線機器（または、ＵＥ）１００は、自分の受信ビーム能力に対する情報（ビーム個数またはビーム幅）とＲＦスイッチング時間に対する情報のうち一つ以上をサービングセル２００ａに送信する。
【０１４８】
前記サービングセル２００ａは、ＭＧＬ及び／またはＭＧＲＰを設定する。前記ＭＧＬ及び／またはＭＧＲＰの設定は、前述したオプション１ないしオプション３のうちいずれか一つに基づいて実行されることができる。前記ＭＧＬ／ＭＧＲＰを設定する時、隣接セル２００ｂ、２００ｃのＳＳバーストセット周期に対する情報が考慮されることができる。また、前記ＭＧＬ／ＭＧＲＰを設定する時、前記無線機器のＲＦスイッチング時間が考慮されることができる。
【０１４９】
前記サービングセル２００ａは、測定設定情報を前記無線機器１００に送信できる。前記測定設定情報は、隣接セル２００ｂ、２００ｃのＳＳバーストセット周期に対する情報を含むことができる。前記測定設定情報は、前記設定されたＭＧＬ／ＭＧＲＰをさらに含むことができる。
【０１５０】
前記無線機器１００は、前記隣接セル２００ｂ、２００ｃのうち一つ以上に対する測定を実行する。前記測定は、ＳＳブロックの受信に基づいて実行されることができる。前記測定は、前記受信した測定設定情報に基づいて実行されることができる。例えば、前記無線機器１００が前記測定設定情報を介して前記ＭＧＬ／ＭＧＲＰを受信した場合、前記無線機器１００は、前記受信したＭＧＬ／ＭＧＲＰに基づいて前記測定を実行することができる。しかし、前記無線機器１００が前記ＭＧＬ／ＭＧＲＰを受信していない場合、前記無線機器１００は、隣接セル２００ｂ、２００ｃのＳＳバーストセット周期に対する情報に基づいて、自体的にＭＧＬ及び／またはＭＧＲＰを設定することができる。前記ＭＧＬ及び／またはＭＧＲＰの設定は、前述したオプション１ないしオプション３のうちいずれか一つに基づいて実行されることができる。オプション１ないしオプション３のうちいずれか一つによって前記ＭＧＬ／ＭＧＲＰを設定する時、前記無線機器のＲＦスイッチング時間に対する情報がさらに考慮されることができる。
【０１５１】
以上で説明した、本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的には図面を参照して説明する。
【０１５２】
図１１は、本明細書の開示が具現される無線機器及び基地局を示すブロック図である。
【０１５３】
図１１を参照すると、無線機器１００及び基地局２００は、本明細書の開示を具現することができる。
【０１５４】
図示された無線機器１００は、プロセッサ１０１、メモリ１０２、及びトランシーバ１０３を含む。同様に、図示された基地局２００は、プロセッサ２０１、メモリ２０２、及びトランシーバ２０３を含む。図示されたプロセッサ１０１、２０１、メモリ１０２、２０２、及びトランシーバ１０３、２０３は、各々、別途のチップで具現され、または少なくとも二つ以上のブロック／機能が一つのチップを介して具現されることができる。
【０１５５】
前記トランシーバ１０３、２０３は、送信機（ｔｒａｎｓｍｉｔｔｅｒ）及び受信機（ｒｅｃｅｉｖｅｒ）を含む。特定の動作が実行される場合、送信機及び受信機のうちいずれか一つの動作のみが実行され、または送信機及び受信機の動作が全て実行されることができる。前記トランシーバ１０３、２０３は、無線信号を送信及び／または受信する一つ以上のアンテナを含むことができる。また、前記トランシーバ１０３、２０３は、受信信号及び／または送信信号の増幅のための増幅器と、特定の周波数帯域上への送信のためのバンドパスフィルタと、を含むことができる。
【０１５６】
前記プロセッサ１０１、２０１は、本明細書で提案された機能、過程及び／または方法を具現することができる。前記プロセッサ１０１、２０１は、エンコーダとデコーダを含むことができる。例えば、プロセッサ１０１、２０２は、前述した内容による動作を実行することができる。このようなプロセッサ１０１、２０１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。
【０１５７】
メモリ１０２、２０２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。
【０１５８】
図１２は、図１１に示す無線機器のトランシーバの詳細ブロック図である。
【０１５９】
図１２を参照すると、トランシーバ１１０は、送信機１１１と受信機１１２を含む。前記送信機１１１は、ＤＦＴ（Ｄｉｓｃｒｅｔｅ  Ｆｏｕｒｉｅｒ  Ｔｒａｎｓｆｏｒｍ）部１１１１、副搬送波マッパ１１１２、ＩＦＦＴ部１１１３、及びＣＰ挿入部１１１４、無線送信部１１１５を含む。前記送信機１１１は、変調器（ｍｏｄｕｌａｔｏｒ）をさらに含むことができる。また、例えば、スクランブルユニット（図示せず；ｓｃｒａｍｂｌｅ  ｕｎｉｔ）、モジュレーションマッパ（図示せず；ｍｏｄｕｌａｔｉｏｎ  ｍａｐｐｅｒ）、レイヤマッパ（図示せず；ｌａｙｅｒ  ｍａｐｐｅｒ）、及びレイヤパーミュテータ（図示せず；ｌａｙｅｒ  ｐｅｒｍｕｔａｔｏｒ）をさらに含むことができ、これは前記ＤＦＴ部１１１１の前に配置されることができる。即ち、ＰＡＰＲ（ｐｅａｋ−ｔｏ−ａｖｅｒａｇｅ  ｐｏｗｅｒ  ｒａｔｉｏ）の増加を防止するために、前記送信機１１１は、副搬送波に信号をマッピングする以前に情報をＤＦＴ部１１１１を経るようにする。ＤＦＴ部１１１１により拡散（ｓｐｒｅａｄｉｎｇ）（または、同じ意味でプリコーディング）された信号を、副搬送波マッパ１１１２を介して副搬送波マッピングをした後、再びＩＦＦＴ（Ｉｎｖｅｒｓｅ  Ｆａｓｔ  Ｆｏｕｒｉｅｒ  Ｔｒａｎｓｆｏｒｍ）部１１１３を経て時間軸上の信号で作る。
【０１６０】
ＤＦＴ部１１１１は、入力されるシンボルにＤＦＴを実行して複素数シンボル（ｃｏｍｐｌｅｘ−ｖａｌｕｅｄシンボル）を出力する。例えば、Ｎｔｘシンボルが入力される場合（ただし、Ｎｔｘは自然数）、ＤＦＴ大きさ（ｓｉｚｅ）はＮｔｘである。ＤＦＴ部１１１１は、変換プリコーダ（ｔｒａｎｓｆｏｒｍ  ｐｒｅｃｏｄｅｒ）とも呼ばれる。副搬送波マッパ１１１２は、前記複素数シンボルを周波数領域の各副搬送波にマッピングさせる。前記複素数シンボルは、データ送信のために割り当てられたリソースブロックに対応するリソース要素にマッピングされることができる。副搬送波マッパ１１１２は、リソースマッパ（ｒｅｓｏｕｒｃｅ  ｅｌｅｍｅｎｔ  ｍａｐｐｅｒ）とも呼ばれる。ＩＦＦＴ部１１１３は、入力されるシンボルに対してＩＦＦＴを実行して時間領域信号であるデータのための基本帯域（ｂａｓｅｂａｎｄ）信号を出力する。ＣＰ挿入部１１１４は、データのための基本帯域信号の後部分の一部を複写してデータのための基本帯域信号の前部分に挿入する。ＣＰ挿入を介してＩＳＩ（Ｉｎｔｅｒ−シンボルＩｎｔｅｒｆｅｒｅｎｃｅ）、ＩＣＩ（Ｉｎｔｅｒ−Ｃａｒｒｉｅｒ  Ｉｎｔｅｒｆｅｒｅｎｃｅ）が防止されて多重経路チャネルでも直交性が維持されることができる。
【０１６１】
他方、受信機１１２は、無線受信部１１２１、ＣＰ除去部１１２２、ＦＦＴ部１１２３、及び等化部１１２４などを含む。前記受信機１１２の無線受信部１１２１、ＣＰ除去部１１２２、ＦＦＴ部１１２３は、前記送信機１１１での無線送信部１１１５、ＣＰ挿入部１１１４、ＩＦＦ部１１１３の逆機能を実行する。前記受信機１１２は、復調器（ｄｅｍｏｄｕｌａｔｏｒ）をさらに含むことができる。
【図１】
2020519093.tif 000012
【図２】
2020519093.tif 000013
【図３】
2020519093.tif 000014
【図４】
2020519093.tif 000015
【図５】
2020519093.tif 000016
【図６】
2020519093.tif 000017
【図７】
2020519093.tif 000018
【図８】
2020519093.tif 000019
【図９】
2020519093.tif 000020
【図１０】
2020519093.tif 000021
【図１１】
2020519093.tif 000022
【図１２】
2020519093.tif 000023
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
デバイスにより測定を実行する方法であって、
測定ギャップ（ＭＧ）についての情報を受信するステップと、
前記ＭＧは前記測定を実行するために利用され、
測定ギャップ長さ（ＭＧＬ）の間前記測定は実行され、
前記測定の開始点は、ＭＧＲＰ（Ｍｅａｓｕｒｅｍｅｎｔ  Ｇａｐ  Ｒｅｐｅｔｉｔｉｏｎ  Ｐｅｒｉｏｄ）に基づいて決定され、オフセットに基づいて前記測定の開始点を調整するステップを含む、方法。
【請求項２】
前記ＭＧＲＰは４０ｍｓと８０ｍｓを含む、請求項１に記載の方法。
【請求項３】
前記ＭＧＲＰは６ｍｓを含む、請求項１に記載の方法。
【請求項４】
前記ＭＧＲＰの間、前記デバイスは、アップリンク信号を送信せず、ダウンリンク信号を受信しない、請求項１に記載の方法。
【請求項５】
前記測定は、同期信号（ＳＳ：Ｓｙｎｃｈｒｏｎｉｚａｔｉｏｎ  Ｓｉｇｎａｌ）ブロックに基づいて実行される、請求項１に記載の方法。
【請求項６】
前記ＭＧに基づいて新たなイントラ周波数を特定するステップをさらに含む、請求項１に記載の方法。
【請求項７】
測定を実行するデバイスであって、
送受信部と、
前記送受信部が測定ギャップ（ＭＧ）についての情報を受信するように動作するように構成されたコントローラとを含み、
前記ＭＧは前記測定を実行するために利用され、
測定ギャップ長さ（ＭＧＬ）の間前記測定が実行され、
前記測定の開始点は、ＭＧＲＰ（Ｍｅａｓｕｒｅｍｅｎｔ  Ｇａｐ  Ｒｅｐｅｔｉｔｉｏｎ  Ｐｅｒｉｏｄ）に基づいて決定され、
前記コントローラはオフセットに基づいて前記測定の開始点を調整する、デバイス。  
【請求項８】
前記ＭＧＲＰは４０ｍｓと８０ｍｓを含む、請求項７に記載のデバイス。
【請求項９】
前記ＭＧＲＰは６ｍｓを含む、請求項７に記載のデバイス。
【請求項１０】
前記ＭＧＲＰの間、前記デバイスは、アップリンク信号を送信せず、ダウンリンク信号を受信しない、請求項７に記載のデバイス。
【請求項１１】
前記測定は、同期信号（ＳＳ：Ｓｙｎｃｈｒｏｎｉｚａｔｉｏｎ  Ｓｉｇｎａｌ）ブロックに基づいて実行される、請求項７に記載のデバイス。
【請求項１２】
前記コントローラは、前記ＭＧに基づいて新たなイントラ周波数を特定する、請求項７に記載のデバイス。
【手続補正２】
【補正対象書類名】図面
【補正対象項目名】図１０
【補正方法】変更
【補正の内容】
【図１０】
2020519093.tif 000024
【国際調査報告】
2020519093.tif 000025
2020519093.tif 000026
2020519093.tif 000027
2020519093.tif 000028